(57)【特許請求の範囲】
【請求項１】
底板部を備えた第１金属フレームと、
該第１金属フレームの前記底板部に重ねて配置された導光板と、
前記導光板の側端面のうち、光入射部とされた側端面に発光部を向けた発光素子と、
該発光素子が実装された実装面を備えた光源用基板と、
該光源用基板の前記実装面とは反対側の背面に面接触した状態で前記光源用基板を支持する基板支持板部を備えた金属製の光源支持部材と、
前記導光板に対して前記第１金属フレームの側とは反対側に配置された液晶パネルと、
該液晶パネルの端部を覆う前板部を備えた枠状の第２金属フレームと、
を有し、
前記光源支持部材は、前記第１金属フレームと面接触する第１接触面を構成する第１板部と、前記第２金属フレームと面接触する第２接触面を構成する第２板部と、を備え、
前記基板支持板部は、前記光入射部に対向しており、
前記第１板部は、前記基板支持板部から前記導光板が位置する側および当該導光板が位置する側とは反対側の双方に向けて屈曲していることを特徴とする液晶表示装置。
【請求項２】
底板部を備えた第１金属フレームと、
該第１金属フレームの前記底板部に重ねて配置された導光板と、
前記導光板の側端面のうち、光入射部とされた側端面に発光部を向けた発光素子と、
該発光素子が実装された実装面を備えた光源用基板と、
該光源用基板の前記実装面とは反対側の背面に面接触した状態で前記光源用基板を支持する基板支持板部を備えた金属製の光源支持部材と、
前記導光板に対して前記第１金属フレームの側とは反対側に配置された液晶パネルと、
該液晶パネルの端部を覆う前板部を備えた枠状の第２金属フレームと、
を有し、
前記光源支持部材は、前記基板支持板部の前記第１金属フレームの前記底板部側の端部で当該底板部に重なるように屈曲して前記第１金属フレームと面接触する第１接触面を構成する第１板部と、前記基板支持板部の前記第２金属フレームの前記前板部側の端部で当該前板部に重なるように屈曲して前記第２金属フレームと面接触する第２接触面を構成する第２板部と、を備え、
前記基板支持板部は、前記光入射部に対向しており、
前記第２板部は、前記基板支持板部から前記導光板が位置する側および当該導光板が位置する側とは反対側の双方に向けて屈曲していることを特徴とする液晶表示装置。
【請求項３】
前記第２板部は、前記基板支持板部から前記導光板が位置する側および当該導光板が位置する側とは反対側の双方に向けて屈曲していることを特徴とする請求項１に記載の液晶表示装置。
【請求項４】
底板部を備えた第１金属フレームと、
該第１金属フレームの前記底板部に重ねて配置された導光板と、
前記導光板の側端面のうち、光入射部とされた側端面に発光部を向けた発光素子と、
該発光素子が実装された実装面を備えた光源用基板と、
該光源用基板の前記実装面とは反対側の背面に面接触した状態で前記光源用基板を支持する基板支持板部を備えた金属製の光源支持部材と、
前記導光板に対して前記第１金属フレームの側とは反対側に配置された液晶パネルと、
該液晶パネルの端部を覆う前板部を備えた枠状の第２金属フレームと、
を有し、
前記光源支持部材は、前記第１金属フレームと面接触する第１接触面と、前記第２金属フレームと面接触する第２接触面と、を備え、
前記実装面の平面方向は、前記光入射部の前記側端面の平面方向に交差し、
前記第２金属フレームは、前記前板部の外縁から前記第１金属フレームの側に向けて屈曲した側板部を備え、
前記基板支持板部は、前記第１金属フレームの前記底板部に重なるように配置されており、
前記基板支持板部の裏面が前記第１接触面とされており、
前記光源支持部材は、前記基板支持板部の前記導光板が配置する側とは反対側の端部で前記第２金属フレームの前記側板部に重なるように屈曲して前記第２接触面を構成する第１板部を備えていることを特徴とする液晶表示装置。
【請求項５】
前記光源支持部材は、前記第１板部の先端部から前記導光板側に向けて屈曲され、前記第２金属フレームの前記前板部と前記側板部の間において重なるように配置されて前記第２接触面を構成する第２板部を備えていることを特徴とする請求項４に記載の液晶表示装置。
【請求項６】
前記導光板を前記第１金属フレームの前記底板部との間に挟持する板状支持部を備えた枠状の樹脂フレームを備え、
前記樹脂フレームの前記板状支持部と前記第２金属フレームとの間で前記液晶パネルを挟持しており、
前記光源支持部材の前記第２接触面は、前記板状支持部よりも前記導光板の面内方向の外側に配置されていることを特徴とする請求項１乃至５の何れか一項に記載の液晶表示装置。
【請求項７】
前記樹脂フレームは、前記光源支持部材より前記導光板の面内方向の内側に設けられていることを特徴とする請求項６に記載の液晶表示装置。
【請求項８】
底板部を備えた第１金属フレームと、
該第１金属フレームの前記底板部に重ねて配置された導光板と、
前記導光板の側端面のうち、光入射部とされた側端面に発光部を向けた発光素子と、
該発光素子が実装された実装面を備えた光源用基板と、
該光源用基板の前記実装面とは反対側の背面に面接触した状態で前記光源用基板を支持する基板支持板部を備えた金属製の光源支持部材と、
前記導光板に対して前記第１金属フレームの側とは反対側に配置された液晶パネルと、
該液晶パネルの端部を覆う前板部を備えた枠状の第２金属フレームと、
前記導光板を前記第１金属フレームの前記底板部との間に挟持する板状支持部を備えた枠状の樹脂フレームと、
を有し、
前記光源支持部材は、前記第１金属フレームと面接触する第１接触面と、前記第２金属フレームと面接触する第２接触面と、を備え、
前記樹脂フレームは、前記光源支持部材と前記第２金属フレームとに挟まれた部分に開口部を備え、
前記第２接触面は、前記光源支持部材から前記開口部内に突出して前記第２金属フレームと面接触する部分、または前記第２金属フレームから前記開口部内に突出している部分と面接触する部分からなることを特徴とする液晶表示装置。
【請求項９】
請求項１乃至８の何れか一項に記載の液晶表示装置を備えていることを特徴とする電子機器。
【発明の詳細な説明】
【技術分野】
【０００１】
本発明は、導光板、光源としての発光素子および液晶パネルがフレームに支持された液晶表示装置、および該液晶表示装置を備えた電子機器に関するものである。
【背景技術】
【０００２】
透過型の液晶パネルを備えた液晶表示装置は、導光板の光入射部とされた側端面に発光素子が配列された照明装置を有しており、導光板の光出射面側には液晶パネルが重ねて配置されている。また、導光板、発光素子、および液晶パネルは、表示光の出射側とは反対側に設けられた第１金属フレームと、表示光の出射側に設けられた第２金属フレームとの間に支持されている。
【０００３】
ここで、発光素子が点灯して発熱すると、出射光量の変動や寿命の低下等が発生してしまう。そこで、発光素子が実装された基板を第１金属フレームに重ねて配置し、発光素子で発生した熱を基板および第１金属フレームを介して逃がす構造が提案されている（特許文献１参照）。
【先行技術文献】
【特許文献】
【０００４】
【特許文献１】特開２００７−２０７６１５号公報
【発明の概要】
【０００５】
しかしながら、液晶テレビ等の電子機器に用いられる大型の液晶表示装置では、発光素子が多数用いられているため、特許文献１に記載の構成では、発光素子で発生した熱を十分に逃がすことができないという問題点がある。一方、携帯電話機等の電子機器に用いられる小型の液晶表示装置では、部材が密に配置されているため、発光素子で発生した熱を十分に逃がすことができないという問題点がある。
【０００６】
また、液晶表示装置では、各部材の位置決め等を容易かつ精度よく行えるように、第１金属フレームと第２金属フレームとの間に樹脂フレームを配置することが多く、このような場合、フレーム内に熱が貯まりやすくなるという問題点がある。
【０００７】
以上の問題点に鑑みて、本発明の課題は、導光板、発光素子および液晶パネルを第１金属フレームおよび第２金属フレームによって保持するとともに、発光素子の温度上昇を低く抑えることのできる液晶表示装置、および該液晶表示装置を備えた電子機器を提供することにある。
【課題を解決するための手段】
【０００８】
上記課題を解決するために、本発明に係る液晶表示装置は、液晶パネルと、前記液晶パネルの一方の側に配置され、前記液晶パネルに光を照射する主面と、複数の側端面と、を有する導光板と、前記導光板の前記側端面のうち、光入射部とされた側端面に発光部を向けた発光素子と、前記発光素子が実装された実装面を備えた光源用基板と、前記光源用基板の前記実装面とは反対側の背面に面接触した状態で前記光源用基板を支持する基板支持板部と、複数の面と、を備え、前記複数の面は、第１の面と前記第１の面とは異なる第２の面とを含んでいる、金属製の光源支持部材と、前記液晶パネル及び前記導光板を収容し、前記第１の面と接触する第１接触部と、前記第２の面と接触する第２接触部と、を有する金属フレームと、を備えていることを特徴とする。
【０００９】
本発明において、前記金属フレームは、前記液晶パネル及び前記導光板を収容する内側に、前記第１接触部と前記第２接触部とを有している。
このため、発光素子で発生した熱は、光源用基板を介して金属製の光源支持部材に伝達された後、金属フレームの内側において、第１接触部及び第２接触部を介して金属フレームに逃げる。このため、本発明によれば、発光素子で発生した熱を少なくとも２つの経路で逃がすことができるので、発光素子で発生した熱を効率よく逃がすことができる。それ故、発光素子の温度上昇を低く抑えることができる。
【００１０】
本発明において、前記光源支持部材の前記第１の面と前記第２の面は、互いに隣り合って配置された面とされている。また、前記光源支持部材の前記第１の面と前記第２の面との間には第３の面が配置されており、該第３の面は前記導光板の光入射部と対向していることが好ましい。
このため、液晶表示装置の視認側と背面側とで、互いに反対の側に離間して配置された第１の面と第２の面とに分かれた熱伝導の経路によって、それぞれ発光素子で発生した熱を逃がすことができるので、発光素子で発生した熱を効率よく逃がすことができる。それ故、発光素子の温度上昇を低く抑えることができる。
【００１１】
また、上記課題を解決するために、本発明に係る液晶表示装置は、底板部を備えた第１金属フレームと、該第１金属フレームの前記底板部に重ねて配置された導光板と、前記導光板の側端面のうち、光入射部とされた側端面に発光部を向けた発光素子と、該発光素子が実装された実装面を備えた光源用基板と、該光源用基板の前記実装面とは反対側の背面に面接触した状態で前記光源用基板を支持する基板支持板部を備えた金属製の光源支持部材と、前記導光板に対して前記第１金属フレームの側とは反対側に配置された液晶パネルと、該液晶パネルの端部を覆う前板部を備えた枠状の第２金属フレームと、を有し、前記光源支持部材は、前記第１金属フレームと面接触する第１接触面と、前記第２金属フレームと面接触する第２接触面と、を備えていることを特徴とする。
【００１２】
本発明において、発光素子が実装された光源用基板は、実装面とは反対側の面（背面）が金属製の光源支持部材に面接触しており、かかる光源支持部材は、第１金属フレームと面接触する第１接触面と、第２金属フレームと面接触する第２接触面とを備えている。このため、発光素子で発生した熱は、光源用基板を介して金属製の光源支持部材に伝達された後、第１接触面を介して第１金属フレームに逃げるとともに、第２接触面を介して第２金属フレームに逃げる。このため、本発明によれば、発光素子で発生した熱を少なくとも２つの経路で逃がすことができるので、発光素子で発生した熱を効率よく逃がすことができる。それ故、発光素子の温度上昇を低く抑えることができる。
【００１３】
本発明において、前記導光板を前記第１金属フレームの前記底板部との間に挟持する板状支持部を備えた枠状の樹脂フレームを備え、前記樹脂フレームの前記板状支持部と前記第２金属フレームとの間で前記液晶パネルを挟持しており、前記光源支持部材の前記第２接触面は、前記板状支持部よりも前記導光板の面内方向の外側に配置されていることが好ましい。
かかる構成によれば、樹脂フレームを用いた場合でも、光源支持部材と第２金属フレームとを容易に面接触させることができる。
【００１４】
本発明において、前記樹脂フレームは、前記光源支持部材より前記導光板の面内方向の内側に設けられていることが好ましい。
かかる構成によれば、樹脂フレームを用いた場合でも、光源支持部材と第２金属フレームとを容易に面接触させることができる。
【００１５】
本発明において、前記基板支持板部は、前記光入射部に対向しており、前記光源支持部材は、前記基板支持板部の前記第１金属フレームの前記底板部側の端部で当該底板部に重なるように屈曲して前記第１接触面を構成する第１板部と、前記基板支持板部の前記第２金属フレームの前記前板部側の端部で当該前板部に重なるように屈曲して前記第２接触面を構成する第２板部と、を備えていることが好ましい。
【００１６】
この場合、前記第１板部は、前記基板支持板部から前記導光板が位置する側および当該導光板が位置する側とは反対側の双方に向けて屈曲していることが好ましい。
かかる構成によれば、第１接触面の面積を広げることができるので、発光素子で発生した熱を第１金属フレームに効率よく逃がすことができる。
【００１７】
本発明において、前記第２板部は、前記基板支持板部から前記導光板が位置する側および当該導光板が位置する側とは反対側の双方に向けて屈曲していることが好ましい。
かかる構成によれば、第２接触面の面積を広げることができるので、発光素子で発生した熱を第２金属フレームに効率よく逃がすことができる。
【００１８】
本発明において、前記実装面の平面方向は、前記光入射部の前記側端面の平面方向に交差し、前記第２金属フレームは、前記前板部の外縁から前記第１金属フレームの側に向けて屈曲した側板部を備え、前記基板支持板部は、前記第１金属フレームの前記底板部に重なるように配置されており、前記基板支持板部の裏面が前記第１接触面とされており、前記光源支持部材は、前記基板支持板部の前記導光板が配置する側とは反対側の端部で前記第２金属フレームの前記側板部に重なるように屈曲して前記第２接触面を構成する第１板部を備えている構成を採用することができる。
かかる構成によれば、光源用基板の実装面が光入射部に直交しているような場合でも、発光素子で発生した熱を第１金属フレームおよび第２金属フレームに逃がすことができる。
【００１９】
本発明において、前記光源支持部材は、前記第１板部の先端部から前記導光板側に向けて屈曲され、前記第２金属フレームの前記前板部と前記側板部の間において重なるように配置されて前記第２接触面を構成する第２板部を備えていることが好ましい。
かかる構成によれば、第２接触面の面積が広いので、発光素子で発生した熱を第２金属フレームに効率よく逃がすことができる。
【００２０】
本発明において、前記導光板を前記第１金属フレームの前記底板部との間に挟持する板状支持部を備えた枠状の樹脂フレームを備え、前記樹脂フレームは、前記光源支持部材と前記第２金属フレームとに挟まれた部分に開口部を備え、前記第２接触面は、前記光源支持部材から前記開口部内に突出して前記第２金属フレームと面接触する部分、または前記第２金属フレームから前記開口部内に突出している部分と面接触する部分からなる構成を採用してもよい。
かかる構成によれば、光源支持部材と第２金属フレームとの間に樹脂フレームが介在する場合でも、発光素子で発生した熱を第１金属フレームおよび第２金属フレームに逃がすことができる。
【００２１】
本発明に係る液晶表示装置は、液晶テレビ等の電子機器に用いられる。
【図面の簡単な説明】
【００２２】
【図１】本発明の実施の形態１に係る液晶表示装置を備えた液晶テレビ（電子機器）の説明図である。
【図２】本発明の実施の形態１に係る液晶表示装置の全体構成を示す説明図である。
【図３】本発明の実施の形態１に係る液晶表示装置をさらに細かく分解したときの分解斜視図である。
【図４】本発明の実施の形態１に係る液晶表示装置を図１（ａ）のＡ−Ａ′線に沿って切断したときの断面図である。
【図５】本発明の実施の形態２に係る液晶表示装置を図１（ａ）のＡ−Ａ′線に沿って切断したときの断面図である。
【図６】本発明の実施の形態３に係る液晶表示装置を図１（ａ）のＡ−Ａ′線に沿って切断したときの断面図である。
【図７】本発明の実施の形態４に係る液晶表示装置を図１（ａ）のＡ−Ａ′線に沿って切断したときの断面図である。
【図８】本発明の実施の形態５に係る液晶表示装置を図１（ａ）のＡ−Ａ′線に沿って切断したときの断面図である。
【図９】本発明の実施の形態６に係る液晶表示装置を図１（ａ）のＡ−Ａ′線に沿って切断したときの断面図である。
【図１０】本発明の実施の形態７に係る液晶表示装置を図１（ａ）のＡ−Ａ′線に沿って切断したときの断面図である。
【図１１】本発明の実施の形態８に係る液晶表示装置を図１（ａ）のＡ−Ａ′線に沿って切断したときの断面図である。
【発明を実施するための形態】
【００２３】
図面を参照して、液晶テレビ用の液晶表示装置に本発明を適用した形態を説明する。なお、以下の説明で参照する図においては、各層や各部材を図面上で認識可能な程度の大きさとするため、各層や各部材毎に縮尺を異ならしめてある。また、以下の説明では、導光板や液晶パネルの面内方向で互いに交差する方向の一方（図に示す導光板や液晶パネル（表示パネル）の長辺が延在する方向）をＸ軸方向とし、他方（図に示す導光板や液晶パネルの短辺が延在する方向）をＹ軸方向とし、Ｘ軸方向およびＹ軸方向に交差する方向（図に示す導光板と液晶パネルとが積層される方向）をＺ軸方向とする。また、以下に参照する図面では、Ｘ軸方向の一方側をＸ１側とし、他方側をＸ２側とし、Ｙ軸方向の一方側（液晶パネルの張り出し部分が配置される方向）をＹ１側とし、これと対向する他方側をＹ２側とし、Ｚ軸方向の一方側（導光板の背面に向けられた方向）をＺ１側（下側）とし、これと対向する他方側（照明光や表示光が出射される側）をＺ２側（上側）として表してある。
【００２４】
［実施の形態１］
（全体構成）
図１は、本発明の実施の形態１に係る液晶表示装置を備えた液晶テレビ（電子機器）の説明図であり、図１（ａ）、（ｂ）は、液晶テレビの外観を模式的に示す説明図、および液晶表示装置の電気的構成を示すブロック図である。
【００２５】
図１（ａ）に示す電子機器２０００は液晶テレビであり、液晶表示装置１００やテレビ用のフレーム２０１０等を有している。液晶表示装置１００は、後述する液晶パネル１０（表示パネル）と、液晶パネル１０に画像信号を供給する画像信号供給部２７０と、液晶パネル１０に照明光を供給する照明装置８とを有している。また、液晶表示装置１００は、液晶パネル１０においてＸ軸方向に延在する走査線を駆動する走査線駆動回路１０４と、液晶パネル１０においてＹ軸方向に延在するデータ線を駆動するデータ線駆動回路１０１とを有している。走査線駆動回路１０４およびデータ線駆動回路１０１については、双方が液晶パネル１０に内蔵された構成を採用することができる。また、走査線駆動回路１０４およびデータ線駆動回路１０１のうちの一方が液晶パネル１０に内蔵され、他方が液晶パネル１０にＣＯＧ実装された駆動用ＩＣに内蔵された構成を採用することができる。また、走査線駆動回路１０４およびデータ線駆動回路１０１のうちの一方が液晶パネル１０に内蔵され、他方が液晶パネル１０に電気的に接続された回路基板に実装された駆動用ＩＣに内蔵された構成を採用することができる。さらには、走査線駆動回路１０４およびデータ線駆動回路１０１の双方が液晶パネル１０とは別体の駆動用ＩＣに内蔵された構成等を採用することができる。
【００２６】
本形態において、照明装置８は、液晶パネル１０に重ねて配置された導光板８０と、導光板８０の側端面のうち、光入射部８０ａとされた側端面に沿って配置された複数の発光素子８９と、複数の発光素子８９が実装された光源用基板８８と、発光素子８９を駆動する光源駆動部２８０とを有している。本形態において、液晶パネル１０は四角形であり、４つの辺１０ａ、１０ｂ、１０ｃ、１０ｄを有している。これらの辺１０ａ、１０ｂ、１０ｃ、１０ｄのうち、辺１０ａはＹ軸方向の一方側Ｙ１に位置する長辺であり、辺１０ｂはＹ軸方向の他方側Ｙ２に位置する長辺であり、辺１０ｃはＸ軸方向の一方側Ｘ１に位置する短辺であり、辺１０ｄはＸ軸方向の他方側Ｘ２に位置する短辺である。かかる形状に対応して、導光板８０は、４つの側端面８０１、８０２、８０３、８０４を有している。これらの側端面８０１〜８０４のうち、側端面８０１はＹ軸方向の一方側Ｙ１の長辺に位置し、側端面８０２はＹ軸方向の他方側Ｙ２の長辺に位置し、側端面８０３はＸ軸方向の一方側Ｘ１の短辺に位置し、側端面８０４はＸ軸方向の他方側Ｘ２の短辺に位置する。本形態では、導光板８０の４つの側端面８０１、８０２、８０３、８０４のうち、短辺方向（Ｙ軸方向）で対向する２つの側端面８０１、８０２が光入射部８０ａになっている。このため、発光素子８９は、導光板８０の２つの側端面８０１、８０２（光入射部８０ａ）の各々に沿って配列され、光源用基板８８は、導光板８０の２つの側端面８０１、８０２（光入射部８０ａ）の各々に沿って延在している。
【００２７】
（液晶表示装置１００の具体的構成）
図２は、本発明の実施の形態１に係る液晶表示装置１００の全体構成を示す説明図であり、図２（ａ）、（ｂ）は、液晶表示装置１００の斜視図および分解斜視図である。図３は、本発明の実施の形態１に係る液晶表示装置１００をさらに細かく分解したときの分解斜視図である。図４は、本発明の実施の形態１に係る液晶表示装置１００を図１（ａ）のＡ−Ａ′線に沿って切断したときの断面図である。
【００２８】
図２、図３および図４において、本形態の液晶表示装置１００は、概ね、いわゆるバックライト装置と称せられる照明装置８と、この照明装置８の上面に重ねて配置された透過型の液晶パネル１０とを備えている。液晶表示装置１００において、照明装置８は、フレーム体９を有している。本形態において、フレーム体９は、下側（Ｚ軸方向の一方側Ｚ１）で導光板８０の背面を覆うように配置された第１金属フレーム４０（下金枠）と、第１金属フレーム４０の上方で液晶パネル１０の端部を保持するとともに照明装置８を囲って保持する樹脂フレーム３０と、樹脂フレーム３０の上側（Ｚ軸方向の他方側Ｚ２）に配置された第２金属フレーム５０（上金枠）とを備えている。
【００２９】
樹脂フレーム３０は、液晶パネル１０の端部を保持するとともに液晶パネル１０の周りを囲む矩形枠形状を有しており、本形態において、樹脂フレーム３０は、液晶パネル１０の４つの辺に対応して４つの辺毎に分割された４本のフレーム板３１、３２、３３、３４からなる。本形態において、樹脂フレーム３０は黒色であり、光吸収部材として機能することによって、照明装置８内での迷光の発生を防止する。フレーム板３１、３２、３３、３４は各々、板状支持部３１２、３２２、３３２、３４２と、板状支持部３１２、３２２、３３２、３４２から前側（照明光の出射側／Ｚ軸方向の他方側Ｚ２）に向けて突出した突条部３１７、３２７、３３７、３４７とを備えている。このため、フレーム板３１、３２、３３、３４の内側には、板状支持部３１２、３２２、３３２、３４２と突条部３１７、３２７、３３７、３４７とによって段部３１３、３２３、３３３、３４３が形成されており、かかる段部３１３、３２３、３３３、３４３によって液晶パネル１０が保持されている。また、板状支持部３１２、３２２、３３２、３４２の背面側（照明光の出射方向とは反対側／Ｚ軸方向の一方側Ｚ１）には、照明装置８の導光板８０や発光素子８９等が配置されている。
【００３０】
第１金属フレーム４０は、ＳＵＳ板等の薄い金属板に対するプレス加工等により形成されてなる。第１金属フレーム４０は、底板部４５と、底板部４５の外周縁から前側に起立する４つの側板部４１、４２、４３、４４とを備えており、上面が開口する矩形の箱状になっている。
【００３１】
第２金属フレーム５０も、第１金属フレーム４０と同様、ＳＵＳ板等の薄い金属板に対するプレス加工等により形成されてなる。第２金属フレーム５０は、矩形の前板部５５（端板部）と、前板部５５の外周縁から後側（第１金属フレーム４０の側）に折れ曲がった４つの側板部５１、５２、５３、５４とを備えている。側板部５１、５２、５３、５４は、第１金属フレーム４０の側板部４１、４２、４３、４４の外側に重なっている。前板部５５には段部５６が形成されており、前板部５５には、段部５６を挟んで外側の第１平板部５５１と内側の第２平板部５５２とが形成されている。第１平板部５５１は、第２平板部５５２より低い位置（導光板８０が位置する側／Ｚ軸方向の一方側）にあり、かかる第１平板部５５１の外縁で側板部５１、５２、５３、５４が後側に折れ曲がっている。本形態では、前板部５５のうち、段部５６の内側に位置する第２平板部５５２には、液晶パネル１０から出射された光を出射する矩形の窓５５０が形成されている。このため、第２金属フレーム５０は、矩形枠形状を有しており、前板部５５は、液晶パネル１０の表示光出射側のうち、外周端部を全周にわたって覆っている。
【００３２】
このように構成した第２金属フレーム５０、樹脂フレーム３０、および第１金属フレーム４０はネジ（図示せず）等により結合されて、内側に液晶パネル１０や照明装置８を保持する。より具体的には、樹脂フレーム３０の板状支持部３１２、３２２、３３２、３４２と、第２金属フレーム５０の前板部５５において段部５６より内側の部分との間に液晶パネル１０の端部が挟持される。
【００３３】
また、樹脂フレーム３０の板状支持部３１２、３２２、３３２、３４２と、第１金属フレーム４０の底板部４５との間に反射シート１８７、導光板８０、光学シート１８０（拡散シート１８２、プリズムシート１８３、１８４）の端部が挟持される。このため、光学シート１８０の端部は、樹脂フレーム３０の板状支持部３１２、３２２、３３２、３４２と、導光板８０との間に挟持された状態となる。ここで、第２金属フレーム５０の前板部５５は、導光板８０の端部と重なる位置にある。このため、導光板８０および反射シート１８７は、樹脂フレーム３０の板状支持部３１２、３２２、３３２、３４２と第１金属フレーム４０の底板部４５との間に挟持されているとともに、第２金属フレーム５０の前板部５５と第１金属フレーム４０の底板部４５との間に挟持されている。
【００３４】
また、樹脂フレーム３０の板状支持部３１２、３２２、３３２、３４２の下面には、可撓性シート９２が貼られている。従って、液晶表示装置１００を組み立てた際、照明装置８は可撓性シート９２を介して支持される。また、液晶表示装置１００を組み立てた際、照明装置８の光学シート１８０（拡散シート１８２、プリズムシート１８３、１８４等）は可撓性シート９２によって浮きや位置ズレが生じないように押さえられている。
【００３５】
（液晶パネル１０の構成）
図２、図３および図４に示すように、液晶パネル１０は、四角形の平面形状を有しており、画素電極（図示せず）等が形成された素子基板１１と、素子基板１１に対して所定の隙間を介して対向配置された対向基板１２と、この対向基板１２と素子基板１１とを貼り合せる矩形枠状のシール材１４とを備えている。かかる液晶パネル１０では、シール材１４で囲まれた領域内に液晶層１３が保持されている。素子基板１１および対向基板１２はガラス基板等の透光性基板からなる。素子基板１１では、Ｘ軸方向に複数本の走査線（図示せず）が延在している一方、Ｙ軸方向には複数本のデータ線が延在しており、走査線とデータ線（図示せず）との交差に対応して、スイッチング素子（図示せず）および画素電極が設けられている。
【００３６】
本形態では、対向基板１２が表示光の出射側に配置され、素子基板１１は照明装置８の側に配置されている。また、対向基板１２において、素子基板１１と対向する面には、シール材１４の４つの辺の内縁に沿って、矩形枠状の遮光層からなる額縁層（図示せず）が形成されており、額縁層の内縁により規定された領域が画像表示領域１００ａである。なお、第２金属フレーム５０の前板部５５の内縁は、額縁層の幅方向の途中位置にあり、第２金属フレーム５０の窓５５０は、画像表示領域１００ａと、額縁層の内周部分とに重なっている。
【００３７】
液晶パネル１０は、ＴＮ（Twisted Nematic）方式、ＥＣＢ（Electrically Controlled Birefringence）方式、あるいはＶＡＮ（Vertical Aligned Nematic）方式の液晶パネルとして構成されており、素子基板１１に画素電極が形成され、対向基板１２に共通電極（図示せず）が形成されている。なお、液晶パネル１０がＩＰＳ（In Plane Switching）方式や、ＦＦＳ（Fringe Field Switching）方式の液晶パネルである場合、共通電極は、素子基板１１の側に設けられる。また、素子基板１１が対向基板１２に対して表示光の出射側に配置されることもある。液晶パネル１０の上面には上偏光板１８が重ねて配置され、液晶パネル１０の下面と照明装置８との間には下偏光板１７が配置されている。
【００３８】
本形態において、素子基板１１は対向基板１２より大きい。このため、素子基板１１は、Ｙ軸方向の一方側Ｙ１において対向基板１２の端部から張り出した張り出し部分１１０を有しており、かかる張り出し部分１１０の上面には複数枚のフレキシブル配線基板２００が接続されている。フレキシブル配線基板２００は、リジット基板からなる回路基板２５０に接続されており、かかる回路基板２５０には、図１を参照して説明した画像信号供給部２７０を構成する制御用ＩＣ（図示せず）や、光源駆動部２８０を構成する光源駆動用ＩＣ（図示せず）が実装されている。
【００３９】
（照明装置８の構成）
図３および図４に示すように、照明装置８は、液晶パネル１０の背面側に重ねて配置された導光板８０と、導光板８０の光入射部８０ａに発光面８９ａを向けて光入射部８０ａの一方端側（Ｘ軸方向の一方側Ｘ１）から他方端側（Ｘ軸方向の他方側Ｘ２）に向かって配列された複数の発光素子８９とを備えている。本形態において、複数の発光素子８９は、光入射部８０ａに沿ってＸ軸方向に延在する光源用基板８８の実装面８８１に実装されており、光源用基板８８は、実装面８８１が導光板８０の光入射部８０ａに対向するように配置されている。発光素子８９は、白色光を出射するＬＥＤ（Light Emitting Diode）であり、光源光を発散光として出射する。
【００４０】
本形態の照明装置８において、導光板８０の側端面８０１、８０２、８０３、８０４のうち、Ｙ軸方向で相対向する２つの側端面８０１、８０２が光入射部８０ａとして利用されている。このため、複数の発光素子８９は、導光板８０の２つの光入射部８０ａ（側端面８０１、８０２）に発光面８９ａを向け、２つの光入射部８０ａ（側端面８０１、８０２）の各々の一方端側から他方端側に向かって配列されている。また、光源用基板８８は、２つの光入射部８０ａ（側端面８０１、８０２）に沿って２枚が延在しており、かかる２枚の光源用基板８８の各々の実装面８８１に複数の発光素子８９が実装されている。
【００４１】
本形態において、導光板８０は、アクリル樹脂、ポリメチルスチレン樹脂、ポリカーボネート樹脂等からなる透光性の樹脂板であり、導光板８０の背面８０ｃ（光出射面８０ｂとは反対側の面／反対面）と第１金属フレーム４０の底板部４５との間には反射シート１８７が重ねて配置されている。導光板８０に用いる樹脂板は、押出成形や射出成形等により形成される。
【００４２】
また、導光板８０の上面（光出射面８０ｂ）と液晶パネル１０との間には拡散シート１８２、プリズムシート１８３、１８４等の光学シート１８０が重ねて配置されている。拡散シート１８２は、アクリル樹脂やポリカーボネート樹脂等の透光性樹脂にシリカ粒子等を分散したコーティング層を備えたシートからなる。本形態において、２枚のプリズムシート１８３、１８４は、互いの稜線が直交するように配置されている。このため、導光板８０の光出射面８０ｂから出射された照明光は、拡散シート１８２によって全方向に拡散した後、２枚のプリズムシート１８３、１８４によって、液晶パネル１０の正面方向にピークを持つような指向性が付与されている。
【００４３】
また、導光板８０において、反射シート１８７が位置する背面８０ｃには、拡散パターンとして、Ｘ軸方向に延在する線状の微細な凹部からなるグルーブ（図示せず）が複数形成されている。本形態において、グルーブの密度は、発光素子８９から離れるに従って高くなっている。このため、導光板８０から出射される照明光の強度分布は、発光素子８９からの距離にかかわらず、均一化されている。
【００４４】
本形態において、光源用基板８８は、発光素子８９が実装されている実装面８８１が導光板８０の光入射部８０ａに対向するように配置されている。また、光源用基板８８は、光入射部８０ａに沿って延在する板状の金属板８８７（支持板）の一方面（実装面８８１側の面）に、配線パターンやランドが絶縁層とともに設けられた構造を有している。かかる構成は、金属板８８７の実装面８８１側に、樹脂基材層、配線パターンおよび絶縁保護層等がこの順に積層されたフレキシブル配線基板８８８を貼り合わせることにより実現することができる。従って、配線パターンおよび発光素子８９のチップが実装されるランドは、金属板８８７から電気的に絶縁されている。本形態において、金属板８８７はアルミニウム板からなり、金属板８８７は、光源用基板８８の機械的強度を確保するとともに、発光素子８９から発熱される熱の放熱板としても機能する。
【００４５】
２枚の光源用基板８８の各々の他方面８８２側には、光源用基板８８を保持する光源支持部材６０が各々配置されている。ここで、第２金属フレーム５０において、前板部５５は、樹脂フレーム３０より、導光板８０の面内方向において外側に張り出している。また、樹脂フレーム３０は、光源支持部材６０より、導光板８０の面内方向において内側に配置されている。このため、光源支持部材６０は、第１金属フレーム４０の底板部４５と第２金属フレーム５０の前板部５５との間に配置されている。本形態において、光源支持部材６０は、光源用基板８８の他方面８８２に沿って延在する棒状の金属部品であり、アルミニウムや鉄系金属等からなる。
【００４６】
（光源支持部材６０の構成）
図３および図４を中心に参照しながら、導光板８０の側端面８０２が位置する側に設けた光源支持部材６０の詳細構成、および発光素子８９の放熱構造を説明する。なお、本形態では、導光板８０の側端面８０１の側にも、発光素子８９、光源用基板８８および光源支持部材６０が設けられているが、側端面８０１側の構成は、側端面８０２側の構成と略同様であるため、側端面８０１側の構成については説明を省略する。
【００４７】
図３および図４に示すように、光源支持部材６０は、導光板８０の光入射部８０ａに対向する基板支持板部６２を有しており、基板支持板部６２において導光板８０の側に向く面は、基板支持面６２０になっている。基板支持面６２０には、光源用基板８８の他方面８８２が重ねて配置されており、光源用基板８８は、ネジ等によって基板支持板部６２に固定されている。この状態で、基板支持面６２０と光源用基板８８の他方面８８２とは面接触状態にある。
【００４８】
本形態においては、以下に説明するように、光源支持部材６０は、第１金属フレーム４０と面接触する第１接触面６８と、第２金属フレーム５０と面接触する第２接触面６９とを備えている。また、本形態では、第２金属フレーム５０において、前板部５５は、樹脂フレーム３０より外側に張り出しているとともに、樹脂フレーム３０は、光源支持部材６０より内側に配置されている。このため、光源支持部材６０の第２接触面６９は、樹脂フレーム３０より外側で第２金属フレーム５０に面接触している。
【００４９】
より具体的には、光源支持部材６０は、基板支持板部６２の第１金属フレーム４０の底板部４５側の端部で底板部４５に重なるように導光板８０とは反対側に屈曲した第１板部６１を有しており、第１板部６１は、第１金属フレーム４０の底板部４５と面接触する第１接触面６８を構成している。ここで、第１板部６１の導光板８０とは反対側の端部は、第１金属フレーム４０の側板部４２に当接している。
【００５０】
また、光源支持部材６０は、基板支持板部６２の第２金属フレーム５０の前板部５５側の端部で前板部５５に重なるように導光板８０が位置する側とは反対側に屈曲した第２板部６３を有しており、第２板部６３は、第２金属フレーム５０の前板部５５のうち、第１平板部５５１に面接触する第２接触面６９を構成している。ここで、第２板部６３の導光板８０とは反対側の端部は、第１金属フレーム４０の側板部４２に当接している。
【００５１】
このように構成した光源支持部材６０は、第１板部６１と第１金属フレーム４０の底板部４５とがネジ等により連結されて、第１金属フレーム４０の底板部４５と第２金属フレーム５０の前板部５５との間に固定されている。また、光源支持部材６０は、第２板部６３と第２金属フレーム５０の前板部５５とがネジ等により連結されて、第１金属フレーム４０の底板部４５と第２金属フレーム５０の前板部５５との間に固定されることもある。
【００５２】
（本形態の主な効果）
以上説明したように、本形態の液晶表示装置１００において、発光素子８９を実装した光源用基板８８は、他方面８８２が金属製の光源支持部材６０の基板支持板部６２に面接触状態で固定されている。このため、発光素子８９で発生した熱は、光源用基板８８から光源支持部材６０に伝達される。ここで、光源支持部材６０は、第１金属フレーム４０と面接触する第１接触面６８と、第２金属フレーム５０と面接触する第２接触面６９とを備えている。このため、発光素子８９で発生した熱は、光源用基板８８を介して金属製の光源支持部材６０に伝達された後、第１接触面６８を介して第１金属フレーム４０に逃げるとともに、第２接触面６９を介して第２金属フレーム５０に逃げる。このため、本形態によれば、発光素子８９で発生した熱を少なくとも２つの経路で逃がすことができるので、導光板８０、発光素子８９および液晶パネル１０を第１金属フレーム４０、樹脂フレーム３０、および第２金属フレーム５０によって保持した場合でも、発光素子８９で発生した熱を効率よく逃がすことができる。それ故、発光素子８９の温度上昇を低く抑えることができる。
【００５３】
特に本形態では、光源用基板８８が他方面８８２の側に金属板８８７を備えているため、発光素子８９で発生した熱は、金属板８８７を介して金属製の光源支持部材６０に効率よく逃がすことができる。それ故、発光素子８９の温度上昇を確実に低く抑えることができる。
【００５４】
また、光源支持部材６０において、第１板部６１の端部および第２板部６３の端部は、第１金属フレーム４０の側板部４２に当接しているため、光源支持部材６０（発光素子８９の位置）を高い位置精度で配置することができるとともに、光源支持部材６０に伝わってきた熱を第１金属フレーム４０の側板部４２に効率よく逃がすことができる。それ故、発光素子８９の温度上昇を確実に低く抑えることができる。
【００５５】
また、本形態では、導光板８０および反射シート１８７は、樹脂フレーム３０の板状支持部３１２、３２２、３３２、３４２と第１金属フレーム４０の底板部４５との間に挟持されているとともに、第２金属フレーム５０の前板部５５と第１金属フレーム４０の底板部４５との間に挟持されている。このため、第２接触面６９を確保するために、樹脂フレーム３０については光源支持部材６０より内側に配置したが、導光板８０および反射シート１８７を確実に固定することができる。
【００５６】
［実施の形態２］
図５は、本発明の実施の形態２に係る液晶表示装置１００を図１（ａ）のＡ−Ａ′線に沿って切断したときの断面図である。なお、本形態の基本的な構成は、実施の形態１と同様であることから、共通する部分には同一の符号を付して、それらの説明を省略する。
【００５７】
実施の形態１では、第２金属フレーム５０の前板部５５は、導光板８０の端部と重なる位置にあるため、導光板８０および反射シート１８７は、樹脂フレーム３０の板状支持部３１２、３２２、３３２、３４２と、第１金属フレーム４０の底板部４５との間に挟持されているとともに、第２金属フレーム５０の前板部５５と第１金属フレーム４０の底板部４５との間に挟持されている。これに対して、本形態では、図５に示すように、樹脂フレーム３０は、光源支持部材６０より内側に設けられているが、板状支持部３２２が突条部３２７の外側まで設けられている。このため、樹脂フレーム３０は、導光板８０の端部および光源用基板８８に重なっている。従って、本形態では、第２接触面６９を確保するために、樹脂フレーム３０については、光源支持部材６０より内側に配置したが、導光板８０および光源用基板８８を確実に保持することができる。すなわち、導光板８０および反射シート１８７は、樹脂フレーム３０の板状支持部３２２と第１金属フレーム４０の底板部４５との間に挟持されているとともに、光源用基板８８も、樹脂フレーム３０の板状支持部３２２と、第１金属フレーム４０の底板部４５との間に挟持されている。
【００５８】
また、本形態では、板状支持部３２２の背面には、導光板８０と光源用基板８８との間に入り込んだ凸部３６が設けられている。このため、本形態では、第２接触面６９を確保するために、樹脂フレーム３０については、光源支持部材６０より内側に配置したが、光源用基板８８および光源支持部材６０を確実に位置決めすることができる。すなわち、光源用基板８８および光源支持部材６０を凸部３６と第１金属フレーム４０の側板部４２との間に挟持することができる。
【００５９】
このように本形態では、第２接触面６９を確保するために、樹脂フレーム３０については、光源支持部材６０より内側に配置したが、導光板８０、光源用基板８８および光源支持部材６０の位置決めを樹脂フレーム３０によって確実に行うことができる。
【００６０】
［実施の形態３］
図６は、本発明の実施の形態３に係る液晶表示装置１００を図１（ａ）のＡ−Ａ′線に沿って切断したときの断面図である。なお、本形態の基本的な構成は、実施の形態１、２と同様であることから、共通する部分には同一の符号を付して、それらの説明を省略する。
【００６１】
実施の形態１、２では、第２金属フレーム５０の前板部５５に段部５６を設けたが、本形態では、図６に示すように、前板部５５に段部５６が設けられておらず、前板部５５は平板状である。かかる構成でも、光源支持部材６０は、樹脂フレーム３０よりさらに前側に向けて延在しており、前板部５５に面接触する第２接触面６９を有している。
【００６２】
ここで、樹脂フレーム３０は、光源支持部材６０より内側に設けられているが、実施の形態２と同様、板状支持部３２２が突条部３２７の外側まで設けられている。このため、樹脂フレーム３０は、導光板８０の端部および光源用基板８８に重なっている。従って、本形態では、第２接触面６９を確保するために、樹脂フレーム３０については、光源支持部材６０より内側に配置したが、導光板８０および光源用基板８８を確実に保持することができる。すなわち、導光板８０および反射シート１８７は、樹脂フレーム３０の板状支持部３２２と第１金属フレーム４０の底板部４５との間に挟持されているとともに、光源用基板８８も、樹脂フレーム３０の板状支持部３２２と、第１金属フレーム４０の底板部４５との間に挟持されている。
【００６３】
また、本形態では、板状支持部３２２の背面には、導光板８０と光源用基板８８との間に入り込んだ凸部３６が設けられている。このため、本形態では、第２接触面６９を確保するために、樹脂フレーム３０については、光源支持部材６０より内側に配置したが、光源用基板８８および光源支持部材６０を確実に位置決めすることができる。すなわち、光源用基板８８および光源支持部材６０を凸部３６と第１金属フレーム４０の側板部４２との間に挟持することができる。
【００６４】
さらに、本形態では、光源支持部材６０は、樹脂フレーム３０と第１金属フレーム４０の側板部４２との間に挟持されている。このため、本形態では、第２接触面６９を確保するために、樹脂フレーム３０については、光源支持部材６０より内側に配置したが、導光板８０、光源用基板８８および光源支持部材６０の位置決めを樹脂フレーム３０によって確実に行うことができる。
【００６５】
［実施の形態４］
図７は、本発明の実施の形態４に係る液晶表示装置１００を図１（ａ）のＡ−Ａ′線に沿って切断したときの断面図である。なお、本形態の基本的な構成は、実施の形態１と同様であることから、共通する部分には同一の符号を付して、それらの説明を省略する。
【００６６】
実施の形態１では、第１板部６１および第２板部６３は、基板支持板部６２の端部から導光板８０とは反対側に屈曲していたが、本形態においては、図７に示すように、第１板部６１は、基板支持板部６２の端部から導光板８０の側、および導光板８０とは反対側の双方に屈曲して第１金属フレーム４０の底板部４５に面接触する第１接触面６８を構成している。ここで、第１板部６１の導光板８０とは反対側の端部は、第１金属フレーム４０の側板部４２に当接し、第１板部６１の導光板８０側の端部は、導光板８０に当接している。
【００６７】
また、第２板部６３は、基板支持板部６２の端部から導光板８０の側、および導光板８０とは反対側の双方に屈曲して第２金属フレーム５０の前板部５５に面接触する第２接触面６９を構成している。ここで、第２板部６３の導光板８０とは反対側の端部は、第１金属フレーム４０の側板部４２に当接し、第２板部６３の導光板８０側の端部は、導光板８０に当接している。
【００６８】
このため、本形態によれば、第１接触面６８および第２接触面６９の面積が広いので、光源支持部材６０から第１金属フレーム４０および第２金属フレーム５０への放熱性を高めることができる。また、本形態では、第２接触面６９を確保するために、樹脂フレーム３０については、光源支持部材６０より内側に配置したが、光源用基板８８および光源支持部材６０が導光板８０と第１金属フレーム４０の側板部４２との間に挟持されているので、光源用基板８８および光源支持部材６０の位置決めを確実に行うことができる。
【００６９】
［実施の形態５］
図８は、本発明の実施の形態５に係る液晶表示装置１００を図１（ａ）のＡ−Ａ′線に沿って切断したときの断面図である。なお、本形態の基本的な構成は、実施の形態１と同様であることから、共通する部分には同一の符号を付して、それらの説明を省略する。
【００７０】
実施の形態１では、第１板部６１および第２板部６３は、基板支持板部６２の端部から導光板８０とは反対側に屈曲していたが、本形態においては、図８に示すように、第１板部６１は、基板支持板部６２の端部から導光板８０の側に屈曲して第１金属フレーム４０の底板部４５に面接触する第１接触面６８を構成している。また、基板支持板部６２は、第１金属フレーム４０の側板部４２に面接触して第１接触面６８の一部を構成している。ここで、第１板部６１の導光板８０側の端部は、導光板８０に当接している。
【００７１】
また、第２板部６３は、基板支持板部６２の端部から導光板８０の側に屈曲して第２金属フレーム５０の前板部５５に面接触する第２接触面６９を構成している。ここで、第２板部６３の導光板８０側の端部は、導光板８０に当接している。
【００７２】
このため、本形態によれば、第２接触面６９を確保するために、樹脂フレーム３０については、光源支持部材６０より内側に配置したが、光源用基板８８および光源支持部材６０が導光板８０と第１金属フレーム４０の側板部４２との間に挟持されているので、光源用基板８８および光源支持部材６０の位置決めを確実に行うことができる。
【００７３】
また、第１板部６１および基板支持板部６２によって第１接触面６８が構成されており、第１接触面６８の面積が広い。このため、光源支持部材６０から第１金属フレーム４０への放熱性を高めることができる。
【００７４】
［実施の形態６］
図９は、本発明の実施の形態６に係る液晶表示装置１００を図１（ａ）のＡ−Ａ′線に沿って切断したときの断面図である。なお、本形態の基本的な構成は、実施の形態１と同様であることから、共通する部分には同一の符号を付して、それらの説明を省略する。
【００７５】
上記実施の形態１〜５では、光源用基板８８の実装面８８１が導光板８０の光入射部８０ａに対向している構成であったが、本形態では、図９に示すように、光源用基板８８の実装面８８１が導光板８０の光入射部８０ａに直交している。このため、光源支持部材６０は、導光板８０の光入射部８０ａに直交する基板支持板部６４を有しているとともに、基板支持板部６４は、第１金属フレーム４０の底板部４５に重なるように配置されて一方面が第１接触面６８となっているとともに、光源用基板８８を面接触状態で支持する基板支持面６４０になっている。
【００７６】
また、本形態では、第１金属フレーム４０に側板部４２が形成されていない。このため、光源支持部材６０は、基板支持板部６４の導光板８０が配置する側とは反対側の端部で第２金属フレーム５０の側板部５２に重なるように屈曲して第２接触面６９を構成する板部６５（第１板部）を備えている。
【００７７】
このため、本形態によれば、光源用基板８８の実装面８８１が光入射部８０ａに直交しているような場合でも、発光素子８９で発生した熱を光源支持部材６０の第１接触面６８および第２接触面６９を介して第１金属フレーム４０および第２金属フレーム５０に逃がすことができる。
【００７８】
［実施の形態７］
図１０は、本発明の実施の形態７に係る液晶表示装置１００を図１（ａ）のＡ−Ａ′線に沿って切断したときの断面図である。なお、本形態の基本的な構成は、実施の形態１と同様であることから、共通する部分には同一の符号を付して、それらの説明を省略する。
【００７９】
上記実施の形態６は、板部６５によって第２接触面６９を構成したが、本形態では、図１０に示すように、さらに、板部６５（第１板部）の先端部から導光板８０側に向けて第２金属フレーム５０の前板部５５に重なるように屈曲して第２接触面６９を構成する板部６６（第２板部）を備えている。かかる構成によれば、第２接触面６９の面積が広いので、発光素子８９で発生した熱を第２金属フレーム５０に効率よく逃がすことができる。
【００８０】
ここで、板部６６の先端部は導光板８０に当接している。このため、光源用基板８８および光源支持部材６０が導光板８０と第２金属フレーム５０の側板部５２との間に挟持されている。このため、第２接触面６９を確保するために、樹脂フレーム３０については、光源支持部材６０より内側に配置したが、光源用基板８８および光源支持部材６０の位置決めを確実に行うことができる。
【００８１】
［実施の形態８］
図１１は、本発明の実施の形態８に係る液晶表示装置１００を図１（ａ）のＡ−Ａ′線に沿って切断したときの断面図である。なお、本形態の基本的な構成は、実施の形態１、２と同様であることから、共通する部分には同一の符号を付して、それらの説明を省略する。
【００８２】
実施の形態１〜７では、樹脂フレーム３０については、光源支持部材６０より内側に配置したが、本形態では、図１１に示すように、樹脂フレーム３０は、板状支持部３２２が突条部３２７の外側まで設けられ、さらに、突条部３２７の外縁から第１金属フレーム４０側に向けて延在する側板部３２１を備えている。このため、光源支持部材６０と第２金属フレーム５０との間には樹脂フレーム３０が介在している。
【００８３】
ここで、樹脂フレーム３０において光源支持部材６０の第２板部６３と第２金属フレーム５０の前板部５５との間に介在する板状支持部３２２には開口部３８が形成されている。また、光源支持部材６０には、第２板部６３から開口部３８内に突出して第２金属フレーム５０の前板部５５に面接触する凸部６７が形成されており、かかる凸部６７において前板部５５と面接触する部分によって第２接触面６９が構成されている。従って、本形態でも、実施の形態１〜７と同様、発光素子８９で発生した熱を光源用基板８８および光源支持部材６０を経由して、第１接触面６８および第２接触面６９から第１金属フレーム４０および第２金属フレーム５０に逃がすことができる。
【００８４】
なお、本形態では、光源支持部材６０に設けた凸部６７によって第２接触面６９を構成したが、第２金属フレーム５０の側に、前板部５５から開口部３８内に突出して光源支持部材６０の第２板部６３に面接触する凸部を設けることにより、第２接触面６９を構成してもよい。
【００８５】
［他の実施の形態］
上記実施の形態では、導光板８０の側端面８０１の側、および導光板８０の側端面８０２の側の双方を光入射部８０ａとしたが、側端面８０１、８０２のうちの一方のみが光入射部８０ａになっている液晶表示装置１００に本発明を適用してもよい。
【００８６】
上記実施の形態では、光源用基板８８として、金属板８８７にフレキシブル配線基板８８８を積層したものを用いたが、フレキシブル配線基板８８８単独、あるいはリジット基板単独を光源用基板として用いた場合に本発明を適用してもよい。
【００８７】
［電子機器への搭載例］
上述実施形態では、液晶表示装置１００を搭載した電子機器２０００として、液晶テレビを例示したが、液晶テレビ以外にも、パーソナルコンピューターのディスプレイ、デジタルサイネージ、カーナビゲーション装置、携帯用情報端末等の電子機器の表示部に本発明を適用した液晶表示装置１００を用いてもよい。
【符号の説明】
【００８８】
８…照明装置、１０…液晶パネル、３０…樹脂フレーム、４０…第１金属フレーム、４５…底板部、４１、４２、４３、４４…側板部、５０…第２金属フレーム、５１、５２、５３、５４…側板部、５５…前板部、６０…光源支持部材、６１…第１板部、６２…基板支持板部、６３…第２板部、６５…板部（第１板部）、６６…板部（第２板部）、６７…凸部、６８…第１接触面、６９…第２接触面、８０…導光板、８０ａ…光入射部、８０ｂ…光出射面、８８…光源用基板、８９…発光素子（光源）、１００…液晶表示装置、１００ａ…画像表示領域、８８１…実装面。
【図１】
0005983031.tif 000002
【図２】
0005983031.tif 000003
【図３】
0005983031.tif 000004
【図４】
0005983031.tif 000005
【図５】
0005983031.tif 000006
【図６】
0005983031.tif 000007
【図７】
0005983031.tif 000008
【図８】
0005983031.tif 000009
【図９】
0005983031.tif 000010
【図１０】
0005983031.tif 000011
【図１１】
0005983031.tif 000012